(57)【要約】      （修正有）【課題】装置を大型化することなく燃料電池の出力低下を効率よく回復することが可能な燃料電池システムおよびその動作制御方法を提供することにある。【解決手段】燃料電池システムは、情報処理装置１８と、燃料電池ユニット１０と、を備えている。燃料電池ユニットは、互いに積層された複数の単セルと、単セルのアノードに燃料を供給する燃料流路と、単セルのカソードに空気を供給する空気流路と、を備え、化学反応により発電するセル積層体と、空気流路を通して前記カソードに空気を供給する空気供給部と、を有している。情報処理装置は、情報を入力する入力部と、情報を表示する表示部と、燃料電池ユニットの動作を管理する電源制御部７７とを有している。電源制御部は、セル積層体の発電出力が所定出力よりも低下した際、セル積層体の発電を停止し、空気供給部からセル積層体の空気流路を通して空気を流すメインテナンス処理を実行する。【選択図】図６
2007273388.tif 000002
【特許請求の範囲】
【請求項１】
情報処理装置と、この情報処理装置に接続された燃料電池ユニットと、を備え、
前記燃料電池ユニットは、
対向配置されたアノードおよびカソードをそれぞれ有し、互いに積層された複数の単セルと、前記アノードに燃料を供給する燃料流路と、前記カソードに空気を供給する空気流路と、を備え、化学反応により発電するセル積層体と、
前記燃料流路を通して前記アノードに燃料を供給する燃料供給部と、
前記空気流路を通して前記カソードに空気を供給する空気供給部と、
前記セル積層体の発電出力を検出するとともに前記燃料供給部および空気供給部の動作を制御する電池制御部と、を備え、
前記情報処理装置は、情報を入力する入力部と、情報を表示する表示部と、前記燃料電池ユニットの動作を管理する電源制御部であって、前記セル積層体の発電出力が所定出力よりも低下した際、前記セル積層体の発電を停止し、前記空気供給部から前記セル積層体の空気流路を通して空気を流すメインテナンス処理を実行する電源制御部と、を備えている燃料電池システム。
【請求項２】
前記電源制御部は、前記入力部によりメインテナンス処理の開始コマンドが入力された際、前記セル積層体の発電出力を検出し、検出した発電出力が前記所定出力よりも低下している際、前記メインテナンス処理を実行する手段を備えている請求項１に記載の燃料電池システム。
【請求項３】
前記電源制御部は、前記セル積層体の発電出力を定期的に検出し、検出した発電出力が前記所定出力よりも低下している際、前記メインテナンス処理を実行する手段を備えている請求項１に記載の燃料電池システム。
【請求項４】
前記燃料電池ユニットは、前記発電出力を含む前記燃料電池ユニットのステータス情報を記憶する記憶部を備え、
前記情報処理装置の電源制御部は、前記燃料電池ユニットの記憶部から燃料電池ユニットのステータス情報を取得し、前記セル積層体の発電出力を前記所定出力と比較する手段を有している請求項１に記載の燃料電池システム。
【請求項５】
前記電源制御部は、前記メインテナンス処理において、前記セル積層体の発電出力が前記出力に回復した際、前記空気供給部から前記セル積層体の空気流路への空気供給を停止し、前記セル積層体の発電を再開する手段を有している請求項１に記載の燃料電池システム。
【請求項６】
前記電源制御部は、前記メインテナンス処理において、前記空気供給部の空気供給量および空気供給時間を設定する手段を有している請求項１に記載の燃料電池システム。
【請求項７】
前記電源制御部は、前記メインテナンス処理において、前記設定された空気供給時間が経過した後、前記空気供給部から前記セル積層体の空気流路への空気供給を停止し、前記セル積層体の発電を再開する手段を有している請求項６に記載の燃料電池システム。
【請求項８】
対向配置されたアノードおよびカソードをそれぞれ有し互いに積層された複数の単セルと、前記アノードに燃料を供給する燃料流路と、前記カソードに空気を供給する空気流路と、を備え、化学反応により発電するセル積層体と、
前記燃料流路を通して前記アノードに燃料を供給する燃料供給部と、
前記空気流路を通して前記カソードに空気を供給する空気供給部と、
前記セル積層体の発電出力を検出するとともに前記燃料供給部および空気供給部の動作を制御する電池制御部と、を具備した燃料電池ユニットと、
情報を入力する入力部と、情報を表示する表示部と、前記燃料電池ユニットの動作を管理する電源制御部とを具備し、前記燃料電池ユニットに接続された情報処理装置と、
を備えた燃料電池システムの動作制御方法であって、
前記セル積層体の発電出力を検出し、
前記セル積層体の発電出力が所定出力よりも低下した際、前記電源制御部により、前記セル積層体の発電を停止し、前記空気供給部から前記セル積層体の空気流路を通して空気を流すメインテナンス処理を実行する燃料電池システムの動作制御方法。
【請求項９】
前記情報処理装置の入力部によりメインテナンス処理の開始コマンドが入力された際、前記セル積層体の発電出力を検出し、検出した発電出力が前記所定出力よりも低下している際、前記メインテナンス処理を実行する請求項８に記載の燃料電池システムの動作制御方法。
【請求項１０】
前記セル積層体の発電出力を定期的に検出し、検出した発電出力が前記所定出力よりも低下している際、前記メインテナンス処理を実行する請求項８に記載の燃料電池システムの動作制御方法。
【発明の詳細な説明】
【技術分野】
【０００１】
本発明は、電子機器等の電源として使用される燃料電池ユニットを備えた燃料電池システムおよびその動作制御方法に関する。
【背景技術】
【０００２】
現在、携帯可能なノート型のパーソナルコンピュータ（以下、ノートＰＣと称する）、モバイル機器等の電子機器の電源としては、主に、リチウムイオンバッテリなどの二次電池が用いられている。近年、これら電子機器の高機能化に伴う消費電力の増加や更なる長時間使用の要請から、高出力で充電の必要のない小型燃料電池が新たな電源として期待されている。燃料電池には種々の形態があるが、特に、燃料としてメタノール溶液を使用するダイレクトメタノール方式の燃料電池（以下、ＤＭＦＣと称する）は、水素を燃料とする燃料電池に比べて燃料の取扱いが容易で、システムが簡易であることから、電子機器の電源として注目されている。
【０００３】
通常、燃料電池は、水素イオン（プロトン）透過性を有した電解質板あるいは固体高分子電解質膜等の電解質層を２つの電極間に挟んだ構成の単セルと、反応ガスの流路としての溝を形成したセパレータとを交互に積層したセルスタックを有している（例えば、特許文献１）。単セルは、高分子電解質膜の両面に、触媒層とカーボンペーパで構成されたアノード（燃料極）とカソード（空気極）とを一体化した膜・電極接合体（以下、ＭＥＡと称する）を備えている。セルスタックの流路を通して、アノードには濃度数％〜数十％のメタノール水溶液が、カソードには空気が供給される。
【０００４】
アノードでは燃料の酸化反応が起こり、メタノールが水と反応して酸化され、二酸化炭素、プロトン、電子を生成する。プロトンは高分子電解質膜を透過しカソードに移動する。カソードでは、空気中の酸素ガスが水素イオン、電子と結合して還元され水を生成する。その過程で外部回路に電子が流れて電流を取り出す。
【０００５】
上記のように構成された燃料電池の劣化、すなわち、発電出力低下は、主に次に上げる３つの要因により起こると考えられている。  
１）活性化分極：触媒活性の低下による電圧低下。高電圧域で顕著に現れる。  
２）抵抗分極：ＭＥＡが持つ電気抵抗に起因する電圧低下。中電圧域で顕著に現れる。  
３）拡散分極：燃料拡散のしにくさによる電圧損失。低電圧域で顕著に現れる。
【０００６】
これらの劣化要因のうち、１）、２）は触媒やＭＥＡ自身の劣化によるものであるため回復は難しい。３）は主にカソードで生成した水が流路で詰まり空気がＭＥＡに行き渡らないためにおきていると考えられ、回復することが可能である。
【０００７】
窒素供給タンク等を備えた大型の燃料電子システムにおいては、カソード電極触媒層の漏れ過剰による出力低下が生じた場合、運転を一時停止し、窒素ガスによりカソード電極をパージした後、運転を再開するシステムが提案されている（例えば、特許文献２）
【特許文献１】特開２００５−２９３９８１号公報
【特許文献２】特開平７−３０７１６１号公報
【発明の開示】
【発明が解決しようとする課題】
【０００８】
燃料電池は高出力を得るために低電圧域で使用することが多い。そのため、拡散分極の回復処理を行うことは、燃料電池の性能を回復する上で有効な手段であると考えられる。しかしながら、ノートＰＣやモバイル機器等の携帯型あるいは小型電子機器の電源として用いる小型の燃料電池では、窒素供給タンク等を設けた場合、構成が複雑化するとともに装置全体が大型化する。そのため、上記構成の適用は困難であり、有効な手段とはいえない。
【０００９】
この発明は以上の点に鑑みなされたもので、その目的は、装置を大型化することなく燃料電池の出力低下を効率よく回復することが可能な燃料電池システムおよびその動作制御方法を提供することにある。
【課題を解決するための手段】
【００１０】
上記課題を達成するため、この発明の態様に係る燃料電池システムは、情報処理装置と、この情報処理装置に接続された燃料電池ユニットと、を備え、
前記燃料電池ユニットは、対向配置されたアノードおよびカソードをそれぞれ有し、互いに積層された複数の単セルと、前記アノードに燃料を供給する燃料流路と、前記カソードに空気を供給する空気流路と、を備え、化学反応により発電するセル積層体と、前記燃料流路を通して前記アノードに燃料を供給する燃料供給部と、前記空気流路を通して前記カソードに空気を供給する空気供給部と、前記セル積層体の発電出力を検出するとともに前記燃料供給部および空気供給部の動作を制御する電池制御部と、を備え、
前記情報処理装置は、情報を入力する入力部と、情報を表示する表示部と、前記燃料電池ユニットの動作を管理する電源制御部であって、前記セル積層体の発電出力が所定出力よりも低下した際、前記セル積層体の発電を停止し、前記空気供給部から前記セル積層体の空気流路を通して空気を流すメインテナンス処理を実行する電源制御部と、を備えている。
【００１１】
この発明の他の態様に係る燃料電池システムの動作制御方法は、対向配置されたアノードおよびカソードをそれぞれ有し互いに積層された複数の単セルと、前記アノードに燃料を供給する燃料流路と、前記カソードに空気を供給する空気流路と、を備え、化学反応により発電するセル積層体と、前記燃料流路を通して前記アノードに燃料を供給する燃料供給部と、前記空気流路を通して前記カソードに空気を供給する空気供給部と、前記セル積層体の発電出力を検出するとともに前記燃料供給部および空気供給部の動作を制御する電池制御部と、を具備した燃料電池ユニットと、情報を入力する入力部と、情報を表示する表示部と、前記燃料電池ユニットの動作を管理する電源制御部とを具備し、前記燃料電池ユニットに接続された情報処理装置と、を備えた燃料電池システムの動作制御方法であって、
前記セル積層体の発電出力を検出し、前記セル積層体の発電出力が所定出力よりも低下した際、前記電源制御部により、前記セル積層体の発電を停止し、前記空気供給部から前記セル積層体の空気流路を通して空気を流すメインテナンス処理を実行することを特徴としている。
【発明の効果】
【００１２】
以上構成によれば、装置を大型化することなく燃料電池の出力低下を効率よく回復することが可能な燃料電池システムおよびその動作制御方法を提供することができる。
【発明を実施するための最良の形態】
【００１３】
以下、図面を参照して、本発明の一実施形態に係る燃料電池システムについて詳細に説明する。  
本実施形態に係る燃料電池システムは、燃料電池ユニットおよびこの燃料電池ユニットから電力供給を受ける情報処理装置、例えば、ノート型パーソナルコンピュータを備えている。
【００１４】
図１は、燃料電池ユニット１０を示す外観図であり、図２は、燃料電池ユニットおよびこの燃料電池ユニットに接続された情報処理装置１８を示す外観図である。図１に示すように、燃料電池ユニット１０は、情報処理装置の後部を載置するための載置部１１と、燃料電池ユニット本体１２とを備えている。後述するように、燃料電池ユニット本体１２には、電気化学反応で発電を行うＤＭＦＣスタックや、ＤＭＦＣスタックに対して燃料となるメタノールや空気を注入、循環させるための種々の補機を内蔵している。
【００１５】
燃料電池ユニット本体１２はユニットケース１２ａを備え、このユニットケース内部の例えば左端に、着脱可能な燃料カートリッジが内蔵されている。燃料カートリッジを交換できるように、ユニットケース１２ａの一部は、取り外し可能なカバー１２ｂを構成している。
【００１６】
ユニットケース１２ａの例えば上面一端部には、発電設定スイッチ１１２および燃料電池運転スイッチ１１６が設けられる。ユニットケース１２ａの上面中央部には、燃料電池ユニット１０の動作状態および燃料カートリッジの残量の有無を示す指示手段として、複数のインジケータ８が設けられている。
【００１７】
発電設定スイッチ１１２は、燃料電池ユニット１０での発電を許可或いは禁止するためにユーザが予め設定するためのスイッチであり、例えばスライド型スイッチで構成される。燃料電池運転スイッチ１１６は、例えば、燃料電池ユニット１０で発電される電力で情報処理装置１８が動作している時に、情報処理装置１８の動作は継続しつつ燃料電池ユニット１０での発電のみを停止させるような場合等に用いる。この場合、情報処理装置１８は内蔵された二次電池の電力を用いて動作を継続する。燃料電池運転スイッチ１１６は、例えばプッシュスイッチ等で構成される。
【００１８】
載置部１１は、平坦な矩形状に形成され、ユニットケース１２ａから水平に延出しているとともに、情報処理装置１８の後部を載置可能に形成されている。載置部１１の上面には、情報処理装置１８と接続するための接続部としてドッキングコネクタ１４が設けられている。図１および図２に示すように、情報処理装置１８の例えば底面後部には、燃料電池ユニット１０と接続するための接続部として後述のドッキングコネクタ２１が設けられている。情報処理装置１８の後部を載置部１６の上に載せた際、ドッキングコネクタ１４、２１が互いに機械的、電気的に接続される。
【００１９】
載置部１１の３箇所には、ロック機構を構成する位置決め突起１５およびフック１６が設けられている。これらの位置きめ突起１５およびフック１６は、情報処理装置１８の底面後部に設けられた図示しない係合孔と係合し、載置部１１に対して情報処理装置を位置決め、保持する。載置部１６には、情報処理装置１８を燃料電池ユニット１０から取り外す際、ロック機構のロックを解除するイジェクトボタン１７が設けられている。  
なお、図１、図２に示した燃料電池ユニット１０の形状や大きさ、或いはドッキングコネクタ１４の形状や位置等は、種々の形態が考えられる。
【００２０】
図３は、燃料電池ユニット１０の系統図を示したものであり、特にＤＭＦＣスタックとその周辺に設けられた補機について細部の系統を示している。  
燃料電池ユニット１０は、発電部４０と、燃料電池ユニット１０の制御部である燃料電池制御部４１とを備えている。燃料電池制御部４１は発電部４０の制御を行う他、情報処理装置１８との通信を行う通信制御部としての機能を有する。
【００２１】
発電部４０は、発電を行うための中心となるＤＭＦＣスタック４２を有する他、燃料となるメタノールを収納する燃料カートリッジ４３を備えている。燃料カートリッジ４３には高濃度のメタノールが封入されている。燃料カートリッジ４３は、燃料を消費した時には容易に交換できるよう、着脱可能となっている。
【００２２】
ダイレクトメタノール型燃料電池においては、発電効率をあげるためにクロスオーバ現象を低減する必要がある。このために高濃度メタノールを希釈して低濃度化し、これを燃料極４７に注入することが有効である。これを実現するため、燃料電池ユニット１０は、希釈循環システム６２を採用し、発電部４０に希釈循環システム６２の実現に必要な補機６３が設けられている。
【００２３】
希釈循環システム６２は、燃料、その他の流体を流す液体流路と、空気、その他の気体を流す気体流路と、を備えている。補機６３には液体流路に設けられるものと気体流路に設けられるものとが含まれている。
【００２４】
液体流路に設けられる補機６３は、燃料電池カートリッジ４３の出力部に配管接続された燃料供給ポンプ４４、燃料供給ポンプ４４の出力部に接続された混合タンク４５、混合タンク４５の出力部に接続された送液ポンプ４６を備え、送液ポンプ４６の出力部はＤＭＦＣスタック４２のアノード（燃料極）４７に接続される。アノード４７の出力部は混合タンク４５に配管接続される。また、補機６３は、後述する凝縮気３に隣接して設けられた水回収タンク５５を有し、水回収タンク５５の出力部は水回収ポンプ５６に配管接続されている。水回収ポンプ５６の出力部は混合タンク４５へ接続される。燃料電池カートリッジ、燃料供給ポンプ４４、混合タンク４５、送液ポンプ４６は、ＤＭＦＣスタック４２に燃料を供給する燃料供給部を構成している。
【００２５】
一方、気体流路に設けられる補機６３は、排気バルブ５１を介してＤＭＦＣスタック４２のカソード（空気極）５２に接続された送気ポンプ５０、およびアノード５２の出力部に接続された凝縮器５３を有している。また、混合タンク４５は、混合タンクバルブ４８を介して凝縮器５３に配管接続される。凝縮器５３は排気バルブ５７を介して排気口５８に接続される。凝縮器５３には、水蒸気を効果的に凝縮するフィンが備えられている。凝縮器５３に対向して冷却ファン５４が配設されている。
【００２６】
図４および図５に示すように、セル積層体としてのＤＭＦＣスタック４２は、複数、例えば、４つの単セル１４０と、５枚の矩形板状のセパレータ１４２とを交互に積層して構成された積層体、および積層体を支持した枠体１４５を有している。各単セル１４０は、それぞれ触媒層とカーボンペーパで構成されたほぼ矩形板状のカソード５２およびアノード４７、これらカソード、アノード間に挟持されたほぼ矩形状の高分子電解質膜１４４とを一体化した膜・電極接合体（ＭＥＡ）を備えている。高分子電解質膜１４４は、カソード４３およびアノード５０よりも大きな面積に形成されている。
【００２７】
３つのセパレータ１４２は、隣合う２つの単セル１４０間に積層され、他の２つのセパレータは、積層方向両端にそれぞれ積層されている。セパレータ１４２および枠体１４５には、各単セル１４０のアノード４７に燃料を供給する燃料流路１４６、および各単セルのカソード５２に空気を供給する空気流路１４７が形成されている。
【００２８】
次に、燃料電池ユニット１０の発電部４０の発電メカニズムについて、燃料と空気（酸素）の流れに沿って説明する。  
図３に示すように、まず、燃料カートリッジ４３内の高濃度メタノールは、燃料供給ポンプ４４によって、混合タンク４５に供給される。混合タンク４５の内部で高濃度メタノールは、回収された水やアノード４７からの低濃度メタノール（発電反応の残余分）等と混合されて希釈され、低濃度メタノールが生成される。低濃度メタノールの濃度は発電効率の高い濃度、例えば３〜６％、を保てるように制御される。この濃度制御は、例えば、濃度センサ６０の検出結果を基に、燃料電池制御部４１が燃料供給ポンプ４４によって混合タンク４５に供給される高濃度メタノールの量を制御することによって実現される。または、混合タンク４５に環流する水の量を水回収ポンプ５６等で制御することによって実現できる。
【００２９】
混合タンク４５には、混合タンク４５内のメタノール水溶液の液量を検出する液量センサ６１や、温度を検出する温度センサ６４が設けられ、これらセンサの検出結果は燃料電池制御部４１に送られて発電部４０の制御などに使用される。
【００３０】
混合タンク４５で希釈されたメタノール水溶液は送液ポンプ４６で加圧されて、ＤＭＦＣスタック４２の燃料流路１４６へ送られ、この燃料流路から各単セル１４０のアノード４７に注入される。図５に示すように、アノード４７では、メタノールの酸化反応が行われることで電子が発生する。酸化反応で生成される水素イオン（Ｈ+）はＤＭＦＣスタック４２内の固体高分子電解質膜１４４を透過してカソード５２に達する。
【００３１】
アノード４７での酸化反応によって生成される二酸化炭素は、反応に供されなかったメタノール水溶液とともに再び混合タンク４５に環流する。二酸化炭素は混合タンク４５内で気化し、気体流路を通って凝縮器５３へ送られ、最終的には排気バルブ５７を介して、排気口５８から外部へ排気される。
【００３２】
他方、図３に示すように、空気（酸素）は、空気供給部を構成する送気ポンプ５０により、吸気口４９から取り込まれ、加圧された後、送気バルブ５１を介しＤＭＦＣスタック４２の空気流路１４７へ送られ、この空気流路から各単セル１４０のカソード（空気極）５２に供給される。カソード５２では、酸素（Ｏ2）の還元反応が進行し、外部の負荷からの電子（ｅ-）と、アノード４７からの水素イオン（Ｈ+）と酸素（Ｏ2）とから水（Ｈ2Ｏ）が水蒸気として生成される。この水蒸気はカソード５２から排出され、凝縮器５３に入る。凝縮器５３では、冷却ファン５４によって水蒸気が冷却されて水（液体）となり、水回収タンク５５内に一時的に蓄積される。この回収された水は水回収ポンプ５６によって混合タンク４５へと環流し、高濃度メタノールを希釈するための希釈循環システム６２が構成される。
【００３３】
この希釈循環システム６２による燃料電池ユニット１０の発電メカニズムからわかるように、ＤＭＦＣスタック４２から電力が取り出す、即ち、発電を開始するために、各部のポンプ４４，４６，５０，５６やバルブ４８、５１、５７或いは冷却ファン５４等の補機６３を駆動させる。これによってメタノール水溶液と空気（酸素）がＤＭＦＣスタック４２内に注入されそこで電気化学反応が進行することによって電力が得られる。ＤＭＦＣスタック４２で発生した電力は、燃料電池制御部４１、ドッキングコネクタ１４を介して情報処理装置１８へ供給される。一方、発電を停止するには、これらの補機６３の駆動を停止するか、あるいは、ＤＭＦＣスタック４２からの電力の取り出しを停止することによる。
【００３４】
図６は、本発明に係る燃料電池ユニット１０が接続される情報処理装置１８のシステム構成を示したものである。  
情報処理装置１８は、ＣＰＵ６５、主メモリ６６、ディスプレイコントローラ６７、表示部として機能するディスプレイ６８、ＨＤＤ（ハードディスクドライブ）６９、キーボードコントローラ７０、ポインタデバイス７１、入力部を構成するキーボード７２、ＦＤＤ７３、これら構成品間において信号を伝送するバス７４、バス７４を介して伝送される信号を変換するためのノースブリッジ７５、サウスブリッジ７６と呼ばれるデバイス等から構成される。また、情報処理装置１８の内部に電源部７９を設け、ここに二次電池８０として、例えばリチウムイオン電池を保有している。電源部７９は、電源制御部７７によって制御される。
【００３５】
ＣＰＵ６５は、情報処理装置１８全体の動作制御を司り、主メモリ６６に格納されたオペレーティングシステム（ＯＳ）、電源管理ユーティリティを含むユーティリティソフトウェア、アプリケーションソフトウェアなどの各種プログラムを実行する。
【００３６】
燃料電池ユニット１０と情報処理装置１８との電気的インタフェースとして制御系インタフェースと電源系インタフェースとが設けられている。制御系インタフェースは情報処理装置１８の電源制御部７７と燃料電池ユニット１０の燃料電池制御部４１との間にて通信を行うために設けられるインタフェースである。制御系インタフェースを介して情報処理装置１８と燃料電池ユニット１０との間で行われる通信は、例えば、Ｉ２Ｃバス７８といったシリアルバスを介して行われる。
【００３７】
電源系インタフェースは、燃料電池ユニット１０と情報処理装置１８との間における電力の授受のために設けられるインタフェースである。例えば、発電部４０のＤＭＦＣスタック４２で発電された電力が燃料電池制御部４１およびドッキングコネクタ１４、２１を介して情報処理装置１８に供給される。電源系インタフェースには、情報処理装置１８の電源部７９から、燃料電池ユニット１０内の補機６３等への電力供給８３も含まれる。
【００３８】
なお、情報処理装置１８の電源部７９に対してＡＣアダプタ用コネクタ８１を介してＡＣ／ＤＣ変換された直流電源が供給され、これによって情報処理装置１８の動作、二次電池８０の充電が可能である。
【００３９】
図７は、燃料電池ユニット１０の燃料電池制御部４１と、情報処理装置１８の電源部７９との、接続関係を示す構成図である。  
燃料電池ユニット１０と情報処理装置１８とはドッキングコネクタ１４、２１によって機械的かつ電気的に接続される。ドッキングコネクタ１４、２１には、燃料電池ユニット１０のＤＭＦＣスタック４２で発電された電力を情報処理装置１８へ供給するための第一の電源端子（出力電源端子）９１および、情報処理装置１８から、燃料電池ユニット１０のマイクロコンピュータ９５にレギュレータ９４を介して電源を供給し、かつ補機用電源回路９７にスイッチ１０１を介して電源を供給するための第二の電源端子（補機用入力電源端子）９２を有する。また、情報処理装置１８からＥＥＰＲＯＭ９９へ電源供給するための第三の電源端子９２ａを有している。
【００４０】
ドッキングコネクタ１４、２１は情報処理装置１８の電源制御部７７と燃料電池ユニット１０のマイクロコンピュータ９５との通信や、書き込み可能な不揮発性メモリ（ＥＥＰＲＯＭ）９９との通信、を行うための通信用入出力端子９３を有している。マイクロコンピュータ９５は、ＤＭＦＣスタック４２の出力電力を検出する検出部としても機能し、検出した出力電力、ここでは、出力電流値をＥＥＰＲＯＭ９９に格納する。
【００４１】
次に、図７を参照して、燃料電池ユニット１０から情報処理装置１８へ、燃料電池ユニット１０に設けられるＤＭＦＣスタック４２の電力が供給されるまでの基本的な処理の流れを説明する。なお、情報処理装置１８の二次電池（リチウムイオン電池）８０には所定の電力が充電されているものとする。また、図７の中のスイッチは全て開いているものとする。
【００４２】
情報処理装置１８は、コネクタ接続検出部１１１から出力される信号に基いて、情報処理装置１８と燃料電池ユニット１０とが機械的および電気的に接続されたことを認識する。この認識は、コネクタ接続検出部１１１が例えばコネクタ接続検出部１１１へ入力される信号に基いて、ドッキングコネクタ１４、２１の接続によって燃料電池ユニット１０の内部で接地されることを検出することによって行われる。
【００４３】
情報処理装置１８の電源制御部７７は、燃料電池ユニット１０の発電設定スイッチ１１２の設定が発電許可設定であるか発電禁止設定であるかを認識する。例えば、発電設定スイッチ検出部１１３へ入力される信号に基いて、発電設定スイッチ検出部１１３が発電設定スイッチ１１２の設定状態に応じて接地状態であるか或いは解放状態であるか否かを検出する。発電設定スイッチ１１２が解放状態である場合は、電源制御部７７は発電禁止設定として認識する。
【００４４】
情報処理装置１８と燃料電池ユニット１０とがドッキングコネクタ１４、２１を介して機械的に接続されると、情報処理装置１８側から第三の電源端子９２ａを介して燃料電池制御部４１の記憶部であるＥＥＰＲＯＭ９９に電源が供給される。ＥＥＰＲＯＭ９９には、燃料電池ユニット１０のステータス情報等が予め記憶される。ステータス情報には、例えば燃料電池ユニットの部品コードや製造シリアル番号、或いは定格出力、検出されたＤＭＦＣスタック４２の出力電流値、各種センサで検出された液晶、温度、濃度などの検出データ等の情報を含ませることができる。ＥＥＰＲＯＭ９９は、例えば、Ｉ２Ｃバス９３といったシリアルバスに接続されており、ＥＥＰＲＯＭ９９に記憶されているデータはこのＥＥＰＲＯＭ９９に電源が供給されている状態において読み出し可能である。電源制御部７７は通信用入出力端子９３を介してＥＥＰＲＯＭ９９のステータス情報を読み出し、内蔵したレジスト等に格納することが可能である。
【００４５】
この状態においては、燃料電池ユニット１０は発電を行っておらず、また燃料電池ユニット１０の内部の状態は、ＥＥＰＲＯＭ９９の電源以外は電源が供給されていない状態である。
【００４６】
ここで、ユーザが発電設定スイッチ１１２の設定を発電許可設定に設定すると、情報処理装置１８に設けられる電源制御部７７は、燃料電池ユニット１０に設けられるＥＥＰＲＯＭ９９に記憶された識別情報を読み出すことが可能となる。発電設定スイッチは、例えばスライドスイッチ等のように開または閉の状態をいずれか一方の状態に保持できるものが好ましい。
【００４７】
電源制御部７７は、燃料電池ユニット１０のＥＥＰＲＯＭ９９から読み出された識別情報に基いて、情報処理装置１８に接続されている燃料電池ユニット１０が情報処理装置１８に適合した燃料電池ユニットであると判断した場合、電源制御部７７は、情報処理装置１８に設けられるスイッチ１００を閉じる。これにより、二次電池８０の電力が第１の電源端子９２を介して燃料電池ユニット１０へ供給され、レギュレータ９４を介してマイクロコンピュータ９５へ電源が供給される。この状態では、燃料電池ユニット１０に設けられるスイッチ１０１は開いており、補機用電源回路９７には電源は供給されていない。従って、この状態において補機６３は動作していない。
【００４８】
しかしながら、マイクロコンピュータ９５は動作を開始しており、情報処理装置１８の電源制御部７７から各種の制御用コマンドを受信することが可能な状態である。また、マイクロコンピュータ９５は、燃料電池ユニット１０の電源情報を情報処理装置１８へ送信可能な状態である。
【００４９】
この状態で、電源制御部７７から発電開始コマンドが燃料電池制御部４１に送られると、これを受信した燃料電池制御部４１は、マイクロコンピュータ９５からの制御によってスイッチ１０１を閉じて補機用電源回路９７に情報処理装置１８からの電源を供給する。併せて、燃料電池制御部４１は、マイクロコンピュータ９５から送信される補機用制御信号によって、発電部４０に設けられる補機６３、即ち、各ポンプ４４、４６、５０、５６、バルブ４８、５１、５７及び冷却ファン５４等を駆動する。さらにマイクロコンピュータ９５は、燃料電池制御部４１に設けられたスイッチ１０２を閉じる。
【００５０】
この結果、発電部４０に設けられるＤＭＦＣスタック４２に対してメタノール水溶液や空気が注入され、発電が開始される。ＤＭＦＣスタック４２による発電電力は、燃料電池制御部４１の情報処理装置用電源回路１２０を介して情報処理装置１８に供給が開始される。ただし、発電出力は、瞬時に定格値に達するわけではないため、定格値に達するまでウォームアップ状態となる。
【００５１】
燃料電池制御部４１のマイクロコンピュータ９５は、例えばＤＭＦＣスタック４２の出力電圧およびＤＭＦＣスタック４２の温度をモニタすることにより、ＤＭＦＣスタック４２の出力が定格値に達したと判断すると、燃料電池ユニット１０のスイッチ１０１を開き、補機６３への電力供給源を情報処理装置１８からＤＭＦＣスタック４２に切り替える。
【００５２】
次に、ＤＭＦＣスタック４２の出力低下に対して適切な回復処理を行う手法について説明する。  
例えば、燃料電池ユニット１０の長時間の使用により、主にＤＭＦＣセルスタック４２を構成する単セル１４０のカソード５２で生成した水が、ＤＭＦＣセルスタック４２の空気流通路１４７で詰まり、単セル１４０に空気が行き渡らなくなると、燃料、空気の供給バランスが崩れＤＭＦＣセルスタック４２の出力電流値、すなわち、発電出力が低下する。
【００５３】
図８は、ＤＭＦＣセルスタック４２の電流−電圧特性を示している。図８において、特性線１は、燃料電池ユニット１０を１２０時間運転した後の特性を示し、この場合、低電圧８〜９Ｖ付近で出力電流値が低下している。出力の低い状態で発電を続けた場合、この場合に発電を継続すると電力供給の効率が悪化するとともに発熱量も増加し、やがてセルの破壊に至ることがある。
【００５４】
そこで、燃料電池システムでは、上記のような出力低下が生じた場合、あるいは、ユーザ任意のタイミングで、燃料電池ユニット１０の回復処理を行う。図９に示すフローチャートを参照して、回復処理動作を説明する。  
ＤＭＦＣスタック４２による発電動作が行われている間、燃料電池制御部４１のマイクロコンピュータ９５は、ＤＭＦＣスタック４２の出力電流値を監視し、検出した出力電流値をＥＥＰＲＯＭ９９に記憶するとともに、随時、更新する。主メモリ６６に格納されている電源管理ユーティリティにより、ユーザが回復処理の実行を選択すると、情報処理装置１８のＣＰＵ６５からメインテナンス開始コマンドを出力し、メインテナンスモード、すなわち、回復処理を開始する。
【００５５】
電源制御部７７はこのコマンドを検知すると（ＳＴ１）、このメインテナンス開始コマンドに応じて、燃料電池ユニット１０のＥＥＰＲＯＭ９９から燃料電池ユニットのステータス情報を取り込む。そして、電源制御部７７は、取り込んだＤＭＦＣスタック４２の出力電流値と予め設定されている基準出力、ここでは、定格出力値と比較し、ＤＭＦＣスタック４２の出力電流値が定格出力値よりも低下しているか否かを判断する（ＳＴ２）。
【００５６】
出力電流値が一定値以上低下している場合、電源制御部７７は、燃料電池ユニット１０のマイクロコンピュータ９５により発電部４０の発電を停止する（ＳＴ３）。例えば、スイッチ１０２を開放し、ＤＭＦＣスタック４２からの出力を停止することにより、発電を停止する。なお、出力電流値が定格出力値よりも一定値以上低下していない場合は、メインテナンスモードを終了する。
【００５７】
発電を停止した後、電源制御部７７の制御の下、燃料電池ユニット１０のマイクロコンピュータ９５は、発電部４０の送気ポンプ５０を所定時間、例えば、５分〜１５分、駆動し、吸気口４９から取り込まれ、送気ポンプ５０で加圧され空気をＤＭＦＣスタック４２の空気流路１４７へ流す（ＳＴ４）。この際、ＤＭＦＣスタック４２の発電動作は停止し、カソード５２側での水の生成も停止している。従って、空気流路１４６へ加圧された空気を流すことにより、空気流路１４６に詰まった水はＤＭＦＣスタック４２から排出され、水回収タンク５５へ送られる。これにより、カソード５２への空気供給を円滑に行うことができ、ＤＭＦＣスタック４２の出力低下を回復することができる。なお、メインテナンス処理時における送気ポンプの送気能力、つまり、空気供給量、および、送気ポンプの空気供給時間は、予め電源制御部７７により所定値に設定され、主メモリ６６に格納されている。メインテナンス処理時における送気ポンプの空気供給量は、通常の発電動作時と同一か、あるいは、通常発電動作時よりも多く設定される。
【００５８】
電源制御部７７は、上記空気供給を行っている間、ＤＭＦＣスタック４２の出力電流値を検出し、ＤＭＦＣスタック４２の出力電流値が定格電流値まで回復したか否かを検出する（ＳＴ５）。回復している場合には送気ポンプ５０による空気供給を終了する（ＳＴ６）。回復していない場合、電源制御部７７は、送気ポンプ５０による空気供給開始から所定時間経過したか否かを判断し（ＳＴ７）、所定時間経過した時点で送気ポンプ５０による空気供給を終了する（ＳＴ６）。
【００５９】
その後、電源制御部７７は、燃料電池ユニット１０のマイクコンピュータ９５の制御の下、スイッチ１０２を閉じ、発電部４０の発電動作を開始する（ＳＴ８）。発電開始から一定時間経過した後（ＳＴ９）、マイクロコンピュータ９５は、回復処理後のＤＭＦＣスタック４２の出力電流値を検出し、ＥＥＰＲＯＭ９９に記録する（ＳＴ１０）。以上の動作により、メインテナンスモードが終了し、回復処理が完了する。
【００６０】
図８は、回復処理を行った場合のＤＭＦＣセルスタック４２の電流−電圧特性を示している。図８において、特性線２、特性線３、特性線４は、それぞれ送気ポンプ５０の空気供給量が２．７（ｌ／ｍｉｎ）で５分間、回復処理を行った場合、空気供給量が２．７（ｌ／ｍｉｎ）で１５分間、回復処理を行った場合、空気供給量が４（ｌ／ｍｉｎ）で１５分間、回復処理を行った場合のＤＭＦＣセルスタック４２の電流−電圧特性のそれぞれ示している。これらの特性から、上述した回復処理を行うことにより、出力電流値が上昇し回復していることが分かる。
【００６１】
上述した実施形態では、ユーザからのメインテナンス開始コマンドにより、回復処理を任意に行う構成としたが、ＤＭＦＣセルスタックの出力が低下した際に、情報処理装置１８の電源制御部７７により自動的に回復処理を実行する構成としてもよい。図１０に示すフローチャートを参照して、自動の回復処理動作を説明する。  
ＤＭＦＣスタック４２による発電動作が行われている間、燃料電池制御部４１のマイクロコンピュータ９５は、ＤＭＦＣスタック４２の出力電流値を監視し、検出した出力電流値をＥＥＰＲＯＭ９９に記憶するとともに、随時、更新する。情報処理装置１８の電源制御部７７は、定期的に、ＥＥＰＲＯＭ９９から燃料電池ユニット１０のステータス情報を取り込み、ＤＭＦＣスタック４２の出力電流値が予め設定されている基準出力、ここでは、定格出力値と比較し、ＤＭＦＣスタック４２の出力電流値が定格出力値よりも低下しているか否かを判断する（ＳＴ１）。ここで、定期的とは常時を含むものとする。出力電流値が一定値以上低下している場合、電源制御部７７は、ＣＰＵ６５の制御の下、メインテナンスモードを開始する。
【００６２】
電源制御部７７は、燃料電池ユニット１０のマイクロコンピュータ９５により発電部４０の発電を停止する（ＳＴ２）。例えば、スイッチ１０２を開放し、ＤＭＦＣスタック４２からの出力を停止することにより、発電を停止する。
【００６３】
発電を停止した後、電源制御部７７の制御の下、燃料電池ユニット１０のマイクロコンピュータ９５は、発電部４０の送気ポンプ５０を所定時間、例えば、５分〜１５分、駆動し、吸気口４９から取り込まれ、送気ポンプ５０で加圧され空気をＤＭＦＣスタック４２の空気流路１４７へ流す（ＳＴ３）。この際、ＤＭＦＣスタック４２の発電動作は停止し、カソード５２側での水の生成も停止している。従って、空気流路１４６へ加圧された空気を流すことにより、空気流路１４６に詰まった水はＤＭＦＣスタック４２から排出され、水回収タンク５５へ送られる。これにより、カソード５２への空気供給を円滑に行うことができ、ＤＭＦＣスタック４２の出力低下を回復することができる。なお、送気ポンプの送気能力は、通常の発電動作時と同一か、あるいは、通常発電動作時よりも高くしてもよい。
【００６４】
電源制御部７７は、上記空気供給を行っている間、ＤＭＦＣスタック４２の出力電流値を検出し、ＤＭＦＣスタック４２の出力電流値が定格電流値まで回復したか否かを検出する（ＳＴ４）。回復している場合には送気ポンプ５０による空気供給を終了する（ＳＴ５）。回復していない場合、電源制御部７７は、送気ポンプ５０による空気供給開始から所定時間経過したか否かを判断し（ＳＴ６）、所定時間経過した時点で送気ポンプ５０による空気供給を終了する（ＳＴ５）。
【００６５】
その後、電源制御部７７は、燃料電池ユニット１０のマイクコンピュータ９５の制御の下、スイッチ１０２を閉じ、発電部４０の発電動作を開始する（ＳＴ７）。発電開始から一定時間経過した後（ＳＴ８）、マイクロコンピュータ９５は、回復処理後のＤＭＦＣスタック４２の出力電流値を検出し、ＥＥＰＲＯＭ９９に記録する（ＳＴ９）。以上の動作により、メインテナンスモードが終了し、回復処理が完了する。
【００６６】
以上のように構成された燃料電池システムおよびその動作制御方法によれば、燃料電池ユニットの基本構成要素である送気ポンプを用いてＤＭＦＣスタックに空気を供給し、出力低下の回復処理を行うことができる。そのため、回復処理用に窒素供給手段等を別途設ける必要がなく、燃料電池の出力低下を防止することが可能となる。また、燃料電池ユニットが接続された情報処理装置の制御の下、任意に、あるいは、自動的に、ＤＭＦＣスタックの出力低下の回復処理を実行することができ、燃料電池ユニットを種々の情報処理装置と組み合わせることができる。これにより、装置を大型化することなく燃料電池の出力低下を効率よく回復することが可能な燃料電池システムおよびその動作制御方法を提供することができる。
【００６７】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００６８】
例えば、燃料電池ユニットは、情報処理装置の外部に接続する構成としたが、情報処理装置に内蔵された構成としてもよい。ＤＭＦＣスタックにおいて、単セルの積層数は、前述した実施形態に限らず、必要に応じて増減可能である。回復処理における、送気ポンプの空気供給量および動作時間等は、上述した実施形態に限らず、種々選択可能である。この発明に係る燃料電池システムは、上述したパーソナルコンピュータに限らず、モバイル機器、携帯端末等の他の電子機器にも適用可能である。燃料電池の形式としは、ＤＭＦＣに限らず、ＰＥＦＣ（Polymer Electrolyte   Fuel Cell）等の他の形式としてもよい。
【図面の簡単な説明】
【００６９】
【図１】この発明の実施形態に係る燃料電池システムの燃料電池ユニットを示す斜視図。
【図２】前記燃料電池システムを示す斜視図。
【図３】前記燃料電池ユニットの発電部の内部構成を主に示す系統図。
【図４】前記燃料電池ユニットのＤＭＦＣスタックを示す断面図。
【図５】前記ＤＭＦＣスタックの単セルを概略的に示す図。
【図６】前記燃料電池ユニットに情報処理装置を接続した状態を示す系統図。
【図７】前記燃料電池ユニット及び前記情報処理装置の構成を示す系統図。
【図８】前記ＤＭＦＣスタックの電流−電圧特性を示す特性図。
【図９】前記燃料電池システムの回復処理動作を示すフローチャート。
【図１０】前記燃料電池システムの他の実施形態に係る回復処理動作を示すフローチャート。
【符号の説明】
【００７０】
１０…燃料電池ユニット、１１…載置部、１２…燃料電池ユニット本体、
１４…ドッキングコネクタ、１８…情報処理装置、４０…発電部、
４１…燃料電池制御部、４２…ＤＭＦＣスタック、４３…燃料カートリッジ、
４４…燃料供給ポンプ、４５…混合タンク、４６…送液ポンプ、
４７…アノード（燃料極）、５０…送気ポンプ、５２…カソード（空気極）、
５３…凝縮器、５４…冷却ファン、５５…水回収タンク、６２…希釈循環システム、
６３…補機、６５…ＣＰＵ、７７…電源制御部、９５…マイクロコンピュータ、
９９…ＥＥＰＲＯＭ、１４０…単セル、１４６…燃料流路、１４７…空気流路
【図１】
2007273388.tif 000003
【図２】
2007273388.tif 000004
【図３】
2007273388.tif 000005
【図４】
2007273388.tif 000006
【図５】
2007273388.tif 000007
【図６】
2007273388.tif 000008
【図７】
2007273388.tif 000009
【図８】
2007273388.tif 000010
【図９】
2007273388.tif 000011
【図１０】
2007273388.tif 000012